(57)【要約】【課題】様々な機能のＩＣカードが装着部に装着されたときであっても、それぞれのＩＣカードが装着されたときの操作性が悪化することを防止する。【解決手段】情報処理装置２の操作を行うための操作部２３，２４，２５が設けられ、情報処理装置２に接続ケーブル３０によって接続される本体部２１と、本体部２１の背面に設けられたＩＣカードの挿入口２６に連続して本体部２１内に設けられたＩＣカード７の装着部２７と、本体部２１の操作面２１ａを開閉するように本体部２１に回動可能に取り付けられるカバー部材２２とを備える。【選択図】　図２
2004070831.tif 000002
【特許請求の範囲】
【請求項１】
ホスト機器の操作を行うための操作部が設けられ、上記ホスト機器に接続される装置本体と、
上記装置本体の側面に設けられたＩＣカードの挿入口に連続して上記装置本体内に設けられたＩＣカードの装着部と、
上記装置本体の一の主面を被覆し、上記装置本体の一主面を開閉するカバー部材と、
上記装着部に装着されたＩＣカードとホスト機器との間でデータ送受信するためのインタフェースとを備える入力装置。
【請求項２】
上記カバー部材は、ヒンジ機構によって上記装置本体に対して回動可能に取り付けられている請求項１記載の入力装置。
【請求項３】
上記ＩＣカードは、一の主面に指紋検出部が設けられ、
上記装置本体には、上記ＩＣカードが装着部に装着されたとき、上記ＩＣカードの指紋検出部を外部に臨ませる開口部が設けられている請求項１記載の入力装置。
【請求項４】
上記インタフェースは、ＵＳＢ（Ｕｎｉｖｅｒｓａｌ　Ｓｅｒｉａｌ　Ｂｕｓ）規格に従って上記ホスト機器とデータの送受信を行う請求項１記載の入力装置。
【請求項５】
上記カバー部材は、透明又は半透明である請求項１記載の入力装置。
【請求項６】
上記装着部には、上記ＩＣカードの端子部と電気的に接続される接続部を閉塞する方向に付勢された蓋体が設けられている請求項１記載の入力装置。
【請求項７】
上記ＩＣカードは、シリアルインタフェース及び／又はパラレルインタフェースを有している請求項１記載の入力装置。
【請求項８】
上記装置本体は、上記装着部に、メモリを有するＩＣカードが装着されたとき、データ処理上の論理アドレスをメモリ上の物理アドレスに変換するアドレス変換部を有し、
上記アドレス変換部は、上記ホスト機器より論理アドレスでアクセスがあったとき、この論理アドレスを物理アドレスに変換し、上記ＩＣカードのメモリにアクセスするようにする請求項１記載の入力装置。
【請求項９】
上記装着部には、この装着部に装着されているＩＣカードを、このＩＣカードの挿入方向側に押圧することによって上記挿入口より排出するするイジェクト機構が設けられている請求項１記載の入力装置。
【請求項１０】
上記装置本体の一の主面には、上記ＩＣカードへのアクセス中点灯する識別灯が設けられている請求項１記載の入力装置。
【発明の詳細な説明】
【０００１】
【発明の属する技術分野】
本発明は、ホスト機器に操作信号を入力することができると共に装置本体にホスト機器の拡張モジュールであるＩＣカードを装着することができる入力装置に関する。
【０００２】
【従来の技術】
パーソナルコンピュータ等の情報処理装置には、装置本体に対する入力装置としてキーボード、マウス、テンキー、ジョイスティック等が装置本体に設けられた接続部に接続されている。また、この情報処理装置は、入力装置の他に、ＩＣカード等が装着されるアダプタ装置を装置本体の接続部に接続することもできる。
【０００３】
ところで、ＩＣカードには、情報処理装置の機能拡張モジュールとして用いられるものであり、様々な機能を有するものがあり、例えば、ＩＣカードには、メモリ用のＩＣカードや指紋認証用のＩＣカードがある。メモリ用のＩＣカードは、カード本体内に半導体メモリ素子としてフラッシュメモリが内蔵され、情報処理装置の外部記憶装置として機能し、情報処理装置で処理されたデータを保存することなできる。また、指紋認証用のＩＣカードは、主面部に指頭が圧接される指紋抽出部が設けられており、指紋認証部が抽出した指紋データをメモリに保存されている指紋データと比較し、一致したとき、特定の情報処理装置、特定のファイル等にユーザがアクセスできるようにする。
【０００４】
しかしながら、情報処理装置には、通常、周辺機器を接続するための接続部が数個しか設けられていないことから、新たに装置本体の接続部にアダプタ装置を接続することができないことがある。そこで、情報処理装置の入力装置には、アダプタ装置としての機能を兼ね備えた、すなわちＩＣカードの装着部が設けられたマウスがある。このマウスは、画面上の操作位置を特定するための操作部の他に、ＩＣカードの装着部が設けられている。このマウスの装着部に装着されるＩＣカードは、上述のように、様々な種類を有するが、それぞれ特有の機能を具現化した部分を除き、外形形状やインタフェースが統一されており、したがって、マウスの装着部には、機能の異なる複数種類のＩＣカードを装着することができる。
【０００５】
【発明が解決しようとする課題】
しかしながら、様々な機能を有するＩＣカードは、それぞれ特有の機能を具現化した部分において、形状等が相違している。例えば、指紋照合用ＩＣカードとメモリ用ＩＣカードとは、外形形状、外形寸法、インタフェース等は共通であるが、指紋照合用ＩＣカードは一主面に指紋検出部が設けられ、メモリ用ＩＣカードは一主面に保存内容をメモ書きするためのラベルが貼着される点で相違している。
【０００６】
このため、マウスは、どのＩＣカードが装着部に装着されたときであっても、ユーザが装着されているＩＣカードを容易に特定することができ、また、装着されたＩＣカードを容易に使用することができ、更に、ＩＣカードが装着されたマウスの操作性が悪くならないようにする必要がある。
【０００７】
本発明は、以上のような問題点に鑑みてなされたものであり、その目的は、様々な機能のＩＣカードが装着部に装着されたときであっても、それぞれのＩＣカードが装着されたときの操作性が悪化することを防止することができるＩＣカードの装着部が設けられた入力装置を提供することにある。
【０００８】
また、本発明の目的は、装着部に装着されているＩＣカードの種類をユーザが容易に判別することができるＩＣカードの装着部が設けられた入力装置を提供することにある。
【０００９】
更に、本発明の目的は、指紋照合用ＩＣカードが装着されたときに、指紋照合操作を容易に行うことができるＩＣカードの装着部が設けられた入力装置を提供することにある。
【００１０】
【課題を解決するための手段】
本発明に係る入力装置は、上述した課題を解決すべく、ホスト機器の操作を行うための操作部が設けられ、上記ホスト機器に接続される装置本体と、上記装置本体の側面に設けられたＩＣカードの挿入口に連続して上記装置本体内に設けられたＩＣカードの装着部と、上記装置本体の一の主面を被覆し、上記装置本体の一主面を開閉するカバー部材と、上記装着部に装着されたＩＣカードとホスト機器との間でデータ送受信するためのインタフェースとを備える。
【００１１】
【発明の実施の形態】
以下、本発明を適用した入力装置が用いられる情報処理システムについて図面を参照して説明する。
【００１２】
図１に示すように、情報処理システム１は、データ処理を行う情報処理装置２を有する。この情報処理装置２は、据え置き型、携帯型等のパーソナルコンピュータであり、各種プログラムや処理データ等が保存されるハードディスク、制御プログラム等が保存されたＲＯＭ（Ｒｅａｄ　Ｏｎｌｙ　Ｍｅｍｏｒｙ）、プログラムや処理データがロードされるＲＡＭ（Ｒａｎｄｏｍ　Ａｃｃｅｓｓ　Ｍｅｍｏｒｙ）、全体を制御するＣＰＵ（Ｃｅｎｔｒａｌ　Ｐｒｏｃｅｓｓｉｎｇ　Ｕｎｉｔ）等が内蔵されたコンピュータ本体３と、このコンピュータ本体３に接続され文字、記号等を入力するためのキーボード４と、画面上の操作位置を特定するための本発明を適用したマウス５と、コンピュータ本体３に接続され、処理データ等を表示するＣＲＴ（Ｃａｔｈｏｄｅ　Ｒａｙ　Ｔｕｂｅ）、ＬＣＤ（Ｌｉｑｕｉｄ　Ｃｒｙｓｔａｌ　Ｄｉｓｐｌａｙ）等からなる表示部６とを備える。コンピュータ本体３とキーボード４、表示部６との間は、有線又は無線で接続され、具体的にＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃ　Ｅｎｇｉｎｅｅｒｓ）１３９４、ＵＳＢ（Ｕｎｉｖｅｒｓａｌ　Ｓｅｒｉａｌ　Ｂｕｓ）、ＲＳ（Ｒｅｃｏｍｍｅｎｄｅｄ　Ｓｔａｎｄａｒｄ）２３２等のインタフェースで接続されている。特に、マウス５は、コンピュータ本体３とＵＳＢインタフェースで接続されている。勿論、このマウス５は、他のインタフェース、すなわちＩＥＥＥ１３９４、ＩＥＥＥ８０２、ＰＳ／２（Ｐｅｒｓｏｎａｌ　Ｓｙｓｔｅｍ／２）等インタフェースでコンピュータ本体３と接続されてもよい。
【００１３】
コンピュータ本体３に接続されるマウス５は、ＩＣカード７が装着される。マウス５に装着されるＩＣカード７は、例えば指紋照合用であり、また、メモリ用である。具体的に、指紋照合用のＩＣカード７は、合成樹脂をモールド成型した筐体を構成する略矩形板状のカード本体１１を有し、このカード本体１１には、指紋検出センサやその制御回路等が構成された一又は複数の半導体素子が実装されたプリント配線基板が内蔵されている。カード本体１１の前面側の一方のコーナ部には、ユーザがマウス５の装着部への挿入方向を容易に判別することができるようにするため面取り部１２が設けられ、また、この面取り部１２が設けられたコーナ部の裏面には、窪み部１２ａが設けられている。面取り部１２や窪み部１２ａは、ＩＣカード７をマウス５の装着部に装着する際の装着位置規制部となる。また、カード本体１１の上面の背面側には、ユーザの指頭が圧接されることによって、ユーザの指紋を検出する指紋検出部１３が設けられている。カード本体１１の一方の短辺側、すなわち前面側の下面には、マウス５の装着部への挿入端となる前面から底面に亘るように、複数の接点１６からなる端子部１４が形成されている。端子部１４は、各接点が仕切り壁で区画されており、仕切り壁で区画された係合凹部１５の底面に接点１６が設けられている。各係合凹部１５は、接点１６が底面に設けられることで、各接点１６を保護している。また、各係合凹部１５は、カード本体１１の前面側及び底面側が開放され、マウス５の装着部側に設けられた接続端子が進入し、各接続端子が各接点１６に圧接されることで、電気的に接続される。
【００１４】
なお、マウス５に装着されるＩＣカード７は、指紋検出用のＩＣカードの他、メモリ用ＩＣカード、ＣＣＤ（Ｃｈａｒｇｅ−Ｃｏｕｐｌｅｄ　Ｄｅｖｉｃｅｓ）等の撮像素子付きＩＣカード、ＧＰＳ（Ｇｌｏｂａｌ　Ｐｏｓｉｔｉｏｎｉｎｇ　Ｓｙｓｔｅｍ）付きＩＣカード、ブルートゥース（Ｂｌｕｅｔｏｏｔｈ）等無線通信のインタフェース用ＩＣカード等であってもよく、その機能は特に限定されない。
【００１５】
また、マウス５の装着部に装着されるＩＣカード７には、データ転送方式としてシリアル転送に対応したＩＣカードとパラレル転送に対応したものとがある。２種類のＩＣカード７は、後述する図１３及び図１６に示すように、共に端子部１４を構成する接点１６を１０本有している。ここで、パラレル用のＩＣカード７は、１番接点と１０番接点が互いに接続されていると共に内部の電源線に接続されＶｓｓ用接点となっており、２番接点がパラレル及びシリアル用のバスステート信号バスステート信号（ＢＳ）用の接点となっており、３番接点がパラレル用の第１のデータ線（ＤＡＴＡ１）が接続される接点となっている。また、４番接点がシリアル用のデータ線とパラレル用のデータ線（ＤＡＴＡ０）が接続される接点となっており、５番接点がパラレル用の第２のデータ線（ＤＡＴＡ２）が接続される接点となっており、７番接点がパラレル用の第３のデータ線（ＤＡＴＡ３）が接続される接点となっている。更に、６番接点がＶｓｓ用の１番及び１０番接点の中点に接続され、ＩＣカード７の装着検出用となっており、８番接点がクロック信号線（ＳＣＬＫ）が接続される接点となっており、９番接点が内部の電源線（Ｖｃｃ）が接続される接点となっている。
【００１６】
これに対して、シリアル用のＩＣカードでは、５番接点と７番接点とが予備用接点となっており、３番接点が内部の電源線（Ｖｃｃ）が接続される接点となっている。
【００１７】
更に、メモリ用ＩＣカードにあっては、データ処理上の論理アドレスとフラッシュメモリ上の物理アドレスとを変換する機能を有するＩＣカードとこの変換機能を有さないＩＣカードとがある。マウス５に、論理アドレスと物理アドレスの変換機能を有するＩＣカードが装着されているとき、コンピュータ本体３は、マウス５を介して論理アドレスでこのＩＣカード７にアクセスし、このＩＣカード７は、論理アドレスを物理アドレスに変換してフラッシュメモリにアクセスする。論理アドレスと物理アドレスの変換機能を有さないＩＣカードが装着されているとき、コンピュータ本体３は、論理アドレスでＩＣカード７にアクセスすると、マウス５が論理アドレスを物理アドレスに変換し、このＩＣカードは、フラッシュメモリに物理アドレスでアクセスする。
【００１８】
次に、以上のようなＩＣカード７が装着されるマウス５について説明すると、このマウス５は、図２及び図３に示すように、外筐を構成し、一方の面に操作面２１ａが構成された本体部２１と、この本体部の２１の操作面に取り付けられるカバー部材２２とを備える。
【００１９】
本体部２１の操作面２１ａには、前面側に、ユーザの人差し指等によって押圧操作される第１の操作部２３と第２の操作部２４とが幅方向に並んで設けられている。また、第１の操作部２３と第２の操作部２４との間には、ホイール２５ａで構成された第３の操作部２５が設けられている。本体部２１の背面には、ＩＣカード７が挿入される挿入口２６が設けられている。そして、本体部２１には、挿入口２６と連続してＩＣカード７が装着される装着部２７が設けられている。この装着部２７は、挿入口２６と連続した凹状の開口部２８によって外部に臨まされ、ユーザが装着されたＩＣカード７の種類等を視認することができようになっている。例えば、凹状の開口部２７は、指紋照合用のＩＣカード７が挿入口２６より挿入されたとき、ＩＣカード７の指紋検出部１３を外部に臨ませるためのものであり、また、メモリ用のＩＣカード７が挿入口２６より挿入されたとき、保存データのタイトル等をメモ書きするためのラベルを外部に臨ませる。更に、凹状の開口部２７の近傍には、ＩＣカード７へのアクセス中に点灯する識別灯２９が設けられている。
【００２０】
また、本体部２１には、操作面２１ａを開閉するカバー部材２２が設けられている。このカバー部材２２は、具体的に、装着部２７に装着されたＩＣカード７を外部に臨ませる凹状の開口部２８を開閉するものであり、更に、装着部２７に装着されたＩＣカード７をユーザが視認することができるように光透過性を有し、例えば透明な樹脂材料により形成されている。このカバー部材２２は、例えば指紋照合用のＩＣカード７が装着部２７に装着されているとき、凹状の開口部２８を開放するように回動され、図３に示すように、ユーザが凹状の開口部２８より外部に臨まされているＩＣカードの指紋認証部に指を圧接することができるようにする。また、凹状の開口部２８の周囲には、ユーザが指を凹状の開口部２８より臨まされている指紋検出部に挿入しやすくし、また、ユーザが開口部２８より外部に臨まされている部分を見易くなるようにするため、操作面２１ａより窪んだ窪み部２８ａが設けられている窪み部２８ａは、湾曲した曲面で構成されている。
【００２１】
なお、本体部２１の前面からは、情報処理装置２のコンピュータ本体３とをＵＳＢ等で接続するための接続ケーブル３０が導出されている。
【００２２】
ところで、マウス５の外筐を構成する本体部２１は、上ハーフ３１と下ハーフ３２とからなる。上下ハーフ３１，３２は、例えばＡＢＳ（Ａｃｒｙｌｏｎｉｔｒｉｌｅ　Ｂｕｔａｄｉｅｎｅ　Ｓｔｙｒｅｎｅ）樹脂等剛性を有する樹脂材料を用い射出成形によって形成され、組み合わせたとき、略矩形となるように形成されている。下ハーフ３２には、図４に示すように、内部に部品収納部３３が設けられている。下ハーフ３２内に設けられた部品収納部３３には、第１乃至第３のプリント配線基板３４，３５，３６が配設される。
【００２３】
第１のプリント配線基板３４は、下ケース３２の底面側に配設される基板であって、マウス５の移動方向及び移動量を検出するための検出部を構成する光学センサ３４ａ、光学センサ３４ａ等からの入力に基づいて情報処理装置２のコンピュータ本体３に出力する操作信号を生成するマウス制御部を構成するマウス用マイクロコンピュータチップ３４ｂ、ＩＣカード７の入出力信号、マウス５の操作信号の入出力制御を行うハブが構成されたハブチップ３４ｃ等が実装されている。なお、第１のプリント配線基板３４には、コンピュータ本体３と接続するための接続ケーブル３０の一端が接続されている。
【００２４】
第２のプリント配線基板３５は、第１のプリント配線基板３４の上側に配設される基板であって、上ハーフ３１側の面にＩＣカード７のコネクタ５１、第１のプリント配線基板３４側の面にＩＣカード７のデータの入出力制御を行うアダプタ回路が構成されたアダプタチップ３５ａ等が実装されている。すなわち、第２のプリント配線基板３５には、ＩＣカード７へのアクセスに必要となる部品が実装されている。第２のプリント配線基板３５に実装されるコネクタ５１、アダプタチップ３５ａ等は、フレキシブルプリント配線基板３７で第１のプリント配線基板３４に実装されたハブチップ３４ｃ等と電気的に接続されている。
【００２５】
第３のプリント配線基板３６は、下ハーフ２７の前面側に配設され、操作部２３，２４，２５を構成する部品が実装される基板であって、押圧型の第１及び第２のスイッチ素子２３ａ，２４ａ、ホイール２５ａの回転方向及び回転量を検出する回転検出素子２５ｂ等が実装されている。押圧型の第１のスイッチ素子２３ａは、第１の操作部２３に対応する素子であり、第２のスイッチ素子２４ａは、第２の操作部２４に対応する素子であり、回転検出素子２５ｂは、第３の操作部２５に対応する素子である。なお、更に、第３のプリント配線基板３６には、図示しないがユーザがホイール２５ａを押圧したことを検出する押圧型のスイッチ素子を実装するようにしてもよい。第３のプリント配線基板３６は、フレキシブルプリント配線基板によって第１のプリント配線基板３４に電気的に接続され、第１及び第２のスイッチ素子２３ａ，２４ａ、回転検出素子２５ｂからの出力は、第１のプリント配線基板２４のマウス用マイクロコンピュータ３４に入力され、このマイクロコンピュータ３４は、情報処理装置２のコンピュータ本体３に入力するための操作信号を生成する。
【００２６】
第１のプリント配線基板３４は、その周囲に設けられた複数の位置決め凹部３８ａが下ハーフ３２の位置決め突部３８ｂに係合されて、位置決めされた状態で下ハーフ３２の底面に配設され、更に、溶着等によって下ハーフ３２の底面に固定される。更に、第１のプリント配線基板３４とフレキシブルプリント配線基板３７と電気的に接続された第２のプリント配線基板３５は、下ハーフ３２の底面に配設された第１のプリント配線基板３２上に積層するように配設される。具体的に、第２のプリント配線基板３５は、下ハーフ３２の側壁等に設けられた基板支持部３９ａに、第１のプリント配線基板３４と所定のクリアランスを介して支持され、溶着等によって下ハーフ３２に固定される。更に、第３のプリント配線基板３５も、同様に、下ハーフ３２の底面に設けられた位置決め突起等に、位置決め孔を係合させ、取付位置の位置決めを図った後、溶着等で下ハーフ３２に固定される。
【００２７】
以上のように部品収納部３３に第１乃至第３のプリント配線基板３４，３５，３６が配設された下ケース３２には、上ハーフ３１が溶着、ねじ止め等によって固定される。この上ハーフ３１は、本体部２１の操作面２１ａを構成する部材であって、背面に、上記ＩＣカード７の挿入口２６が設けられている。また、上ハーフ３１には、背面側の幅方向略中央部に、装着部２７に装着されたＩＣカード７を外部に臨ませる凹状の開口部２８が設けられている。また、第２のプリント配線基板３５に実装されたＬＥＤ（Ｌｉｇｈｔ　Ｅｍｉｔｔｉｎｇ　Ｄｉｏｄｅ）等の発光素子により点灯される識別灯２９が凹状の開口部２８の近傍に設けられている。
【００２８】
この上ハーフ３１により構成される本体部２１の操作面２１ａは、図２及び図３に示すように、やや前面側に、凹状の溝部４１が幅方向に設けられている。溝部４１より前面側の前面側部４２ａには、第１乃至第３の操作部２３，２４，２５が設けられている。すなわち、前面側部４２ａには、第１のスイッチ素子２３ａの被押圧子２３ｂを外部に臨ませる第１の開口部４３、第２のスイッチ素子２４ａの被押圧子２４ｂを外部に臨ませる第２の開口部４４、第３の操作部２５を構成するホイール２５ａを外部に臨ませる第３の開口部４５が設けられている。第１の操作部２３を構成する領域には、後述するカバー部材２２と同じ材料で形成された光透過性の第１の操作板４３ａが設けられ、第２の操作部２４を構成する領域にも、後述するカバー部材２２と同じ材料で形成された光透過性の第２の操作板４４ａが設けられ、互いに対向する側縁部に、第３の操作部２５を構成するホイール２５ａを外部に臨ませる切欠部４３ｂ，４４ｂが設けられている。第１の操作板４３ａと第２の操作板４４ａは、それぞれ、上ハーフ３１に図示しない弾性片を介して取り付けられ、ユーザの人差し指等で押圧されたとき、第１のスイッチ素子２３ａの被押圧子２３ｂや第２のスイッチ素子２４ａの被押圧子２４ｂを押圧することができる。
【００２９】
溝部４１より背面側の背面側部４２ｂには、上述した装着部２７に装着されたＩＣカード７を外部に臨ませる凹状の開口部２８、識別灯２９が設けられている。上ハーフ３１には、背面側部４２ｂを被覆するカバー部材２２が回動可能に取り付けられる。このカバー部材２２は、装着部２７に装着されたＩＣカード７をユーザが視認することができるように光透過性を有し、例えば透明な樹脂材料により形成されている。このカバー部材２２は、上ハーフ３１の溝部４１の近傍でヒンジ機構４６によって回動可能に取り付けられる。また、カバー部材２２の表面は、ユーザが全体を把持しやすくするため、全体が曲面で構成されている。
【００３０】
このヒンジ機構４６は、上ハーフ３１の溝部４１の近傍に設けられる一対の回動支持部４７，４７と、カバー部材２２の基端側に設けられた支軸４８，４８とからなる。回動支持部４７，４７は、互いに内方側に軸孔が形成され、互いに向き合った軸孔に、支軸４８，４８が軸支される。回動支持部４７，４７に回動支持されたカバー部材２２は、例えば先端側、すなわちＩＣカード７の挿入口６側の端部を持って回動操作される。勿論、ヒンジ機構４６は、カバー部材２２側に軸孔を設け、上ハーフ３１側に支軸を設けるようにしてもよい。
【００３１】
なお、カバー部材２２は、本体部２１を構成する上ハーフ３１のＩＣカード７の挿入口２６を閉塞するようには設けられていない。これは、撮像素子付きＩＣカードは、ＩＣカード７の背面側に撮像部が設けられ、ＧＰＳ付きＩＣカードや無線通信のインタフェース用ＩＣカード等は、背面側にアンテナ部が設けられており、本体部２１より装着部２７の装着時であっても本体部２１より撮像部やアンテナ部を外部に臨ませる必要があるためであり、また、常に、挿入口２６を外部に臨ませ、ＩＣカード７の挿脱を容易に行うことができるようにするためである。
【００３２】
ところで、上述した第２のプリント配線基板３５の一方の面に実装されるＩＣカード７のコネクタ５１は、本体部２１内の装着部２７の一部を構成する。このコネクタ５１の具体的構成を図５乃至図９を参照して説明すると、このコネクタ５１は、ＩＣカード７の装着部２７の一部を構成するベース５２と、このベース５２上に取り付けられるカバー５３と、ＩＣカード７の挿入口を閉塞する蓋体５４と、ＩＣカード７のイジェクト部材５５とを備える。
【００３３】
図５及び図６に示すように、ベース５２は、ＩＣカード７の装着部２７の一部を構成するものであり、背面側には、ＩＣカード７の前面側に設けられた端子部１４に係合する接続端子５７が端子部１４の接点１６の数に対応して、具体的には１０本設けられている。各接続端子５７は、導電性の弾性片で形成されており、ＩＣカード７が装着部２７に装着されたとき、端子部１４の各係合凹部１５に係合し、接点１６に弾接されつつＩＣカード７を装着位置に保持できるようになっている。
【００３４】
このようなベース５２に取り付けられるカバー５３は、板金等を折曲して形成されるものであって、ベース５２とでＩＣカード７を収納する収納部６１を構成する。カバー５３は、ベース５２とで、接続端子５７が設けられた側とは反対側にＩＣカード７のカード挿入口５８が設けられる。カバー５３は、このカード挿入口５８と連続するようにして、略Ｕ字状の開口部５９が形成されている。この開口部５９は、上ハーフ３１の凹状の開口部２８に対応して設けられるものであり、外部からカバー５３が見えないようにしている。
【００３５】
このカバー５３には、その中程に、ＩＣカード７の収納部６１内、特に接続端子５７の近傍に塵埃等の異物が侵入することを防止するための蓋体５４が取り付けられている。この蓋体５４は、収納部６１を閉塞する蓋部６２と、蓋部６２をＩＣカード７の前面側に押圧されて回動させるための回動軸６３とが一体的に形成されてなる。一方、カバー５３には、回動軸６３が挿通される回動保持部６４が設けられている。そして、蓋部６２は、回動軸６３が回動保持部６４に挿通されることで、収納部６１内に蓋部６２が位置するように取り付けられる。また、この蓋体５４は、回動軸６３に付勢部材となる捻りコイルバネ６５のコイル部が巻装され、捻りコイルバネ６５の一方のアーム部がカバー５３の係止部６５ａに係止され、他方のアーム部が蓋部６２に係止されることによって、収納部６１を閉塞する図５中矢印Ｄ１方向に付勢している。蓋体５４は、ＩＣカード７が挿入されていないとき、捻りコイルバネ６５の付勢力により、収納部６１を閉塞した状態にあり、内部に塵埃等の異物が侵入することを防止しており、ＩＣカード７がカード挿入口５８より挿入されると、図６に示すように、ＩＣカード７の前面で押圧され、捻りコイルバネ６５の付勢力に抗して図６中反矢印Ｄ１方向に回動し、端子部１４と接続端子５７とが係合できる状態とする。すなわち、蓋部６２は、ＩＣカード７が挿入されたとき、カバー５３と略平行な状態となるまで回動保持部６４に回動支持された回動軸６３を中心にして回動する。
【００３６】
更に、ベース５２とカバー５３とで構成される収納部６１のＩＣカード７の挿脱方向と平行な一方の側には、図５及び図６に示すように、ＩＣカード７を収納部６１より排出するためのイジェクト部材５５が配設されている。このイジェクト部材５５は、全体が略Ｌ字状に形成され、長辺の移動ガイド部６６と短辺の規制部６７とから構成されている。イジェクト部材５５は、ＩＣカード７の挿脱方向である図５及び図６中矢印Ｄ２方向及び反矢印Ｄ２方向に移動するものであり、移動ガイド部６６は、ベース５２のＩＣカード７の移動方向に沿って突出して形成されガイド突部６８ａに係合するガイド溝６９ａが形成されている。なお、規制部６７にも、ベース５２のＩＣカード７の移動方向に沿って突出して形成されガイド突部６８ｂに係合するガイド溝６９ｂが形成されている。
【００３７】
規制部６７は、ＩＣカード７の挿入方向と略直交するように位置され、ＩＣカード７の前面の突き当て面側に、ＩＣカード７の面取り部１２及び窪み部１２ａに係合する位置決め部７０が設けられている。すなわち、イジェクト部材５５は、移動ガイド部６６のＩＣカード７の側面と対向する面と規制部６７の位置決め部７０とでＩＣカード７の位置決めを行い、ＩＣカード７が押圧されることで、ガイド突部６８ａ，６８ｂ及びガイド溝６９ａ，６９ｂにガイドされながら挿入方向である図５及び図６中反矢印Ｄ２方向に移動する。また、規制部６７とベース５２の背面壁５２ａとの間には、イジェクト部材５５をＩＣカード７のイジェクト方向の図５及び図６中矢印Ｄ２方向に付勢する付勢部材となる圧縮コイルバネ７１が配設されている。この圧縮コイルバネ７１は、規制部６７の凹部７２に一方が係合され、位置規制がされている。
【００３８】
ベース５２の一方の側壁５２ｂには、図７乃至図９に示すように、突起７３が内方に向かって突設され、この突起７３に制御バネ７４が取り付けられている。この制御バネ７４は、捻りコイルバネよりなり、コイル部７４ａが突起７３に巻装され、一端７４ｂがカバー５３に係止され、他端７４ｃ側をベース５２側の図９中矢印Ｄ３方向に付勢している。制御バネ７４の他端７４ｃは、略９０°内方に折曲され、係合部７５が形成されている。この係合部７５は、イジェクト部材５５の移動ガイド部６６に一体的に設けられた係止突部７６に係止される。
【００３９】
この係止突部７６は、略２等辺三角形をなすように形成され、頂部７７がベース５２の側壁５２ｂの突起７３に巻装された制御バネ７４の係合部７５のやや下側に位置するように、イジェクト部材５５の移動ガイド部６６のベース５２の側壁５２ｂ側の面に一体的に設けられている。係止突部７６のカバー５３の面には、制御バネ７４の係合部７５を押し上げる傾斜面よりなるカム部７８が形成されている。このカム部７８は、頂部７７側からカバー５３側に傾斜して形成されている。また、係止突部７６の頂部７７と対向する側には、制御バネ７４の係合部７５が係合される係合凹部７９が形成されている。
【００４０】
以上のようなコネクタ５１は、ＩＣカード７が挿入されていないとき、図７及び図８に示すように、制御バネ７４の係合部７５が係止突部７６の係合凹部７９に係合していない状態にあり、従って、イジェクト部材５５は、圧縮コイルバネ７１の付勢力により図７及び図８中矢印Ｄ２方向に付勢され、ＩＣカード７の挿脱が可能な挿脱位置にある。
【００４１】
イジェクト部材５５がこの挿脱位置にあるときにＩＣカード７が端子部１４を挿入端として収納部６１内に挿入されると、図６に示すように、ＩＣカード７の前面は、イジェクト部材５５の規制部６７と位置決め部７０とでＩＣカード７の位置決めされる。そして、ＩＣカード７が更に押圧されることで、圧縮コイルバネ７１の付勢力に抗してガイド突部６８ａ，６８ｂ及びガイド溝６９ａ，６９ｂにガイドされながら図７及び図８中反矢印Ｄ２方向に移動する。
【００４２】
すると、制御バネ７４の係合部７５は、図８及び図９中矢印Ｄ３方向の付勢力に抗してイジェクト部材５５の移動ガイド部６６に一体的に設けられた係止突部７６のカム部７８に沿って頂部７７側から係合凹部７９側に移動する。そして、カム部７８が終了した時点で、制御バネ７４の係合部７５は、図９に示すように、付勢力によって係止突部７６の係合凹部７９に係合する。これにより、イジェクト部材５５は、ＩＣカード７の端子部１４を構成する接点１６と接続端子５７との接続を図る装着位置に保持される。そして、ベース５２に設けられた接続端子５７は、ＩＣカード７の端子部１４係合凹部１５に係合し、接点１６に弾接されることにより、電気的接続が図られる。なお、この状態で、ＩＣカード７は、ほぼ全体が装着部２７に収納され、背面側の一部がイジェクトする際、押圧できるように外方に臨まされている。
【００４３】
ＩＣカード７をイジェクトするときＩＣカード７の背面側の一部を押圧すると、イジェクト部材５５は、圧縮コイルバネ７１の付勢力に抗して図９中反矢印Ｄ２方向に移動する。すると、制御バネ７４の係合部７５は、図９中矢印Ｄ３方向の付勢力により係止突部７６の係合凹部７９と係合した状態が解除され、そして、付勢力により係合突部７６のベース５２側に移動する。制御バネ７４の係合部７５と係止突部７６の係合凹部７９との係合状態が解除されたことで、イジェクト部材５５は、圧縮コイルバネ７１の付勢力により、端子部１４と接続端子５７とを離間させる図９中矢印Ｄ２方向に移動し、ＩＣカード７の挿脱を行う第１の位置に戻る。この後、ＩＣカード７は、装着部２７より引き出される。
【００４４】
以上のようなコネクタ５１ではＩＣカード７を取り出すとき、ＩＣカード７の背面側を押圧操作するだけでよいことから、ＩＣカード７のイジェクト操作を容易に行うことができる。
【００４５】
なお、以上の例では、ユーザがＩＣカード７を押圧操作することによって、装着部２７に装着されたＩＣカード７をイジェクトできるイジェクト機構を説明したが、このイジェクト機構としては、ユーザによって操作されるイジェクト操作部材を設け、ユーザの操作力によって装着部２７に装着されたＩＣカード７をイジェクトすることができるようにしてもよい。
【００４６】
以上のように構成されたマウス５は、図１０に示すように、ＵＳＢの接続ケーブル３０によって情報処理装置２のコンピュータ本体３に接続され、表示部６に表示されたポインタで画面上の操作位置の指定可能な状態となる。そして、マウス５は、挿入口２６より、ＩＣカードが端子部１４が設けられた前面を挿入端として装着部２７に挿入される。挿入口２６より挿入されたＩＣカード７がユーザによって更に押圧操作されると、図５及び図６に示すように、コネクタ５１内の蓋部６２は、ＩＣカード７の前面に押圧されることにより、カバー５３と略平行な状態となるまで回動保持部６４に回動支持された回動軸６３を中心にして回動する。そして、ＩＣカード７の前面は、イジェクト部材５５の規制部６７と位置決め部７０とでＩＣカード７の位置決めされる。そして、ＩＣカード７が更に押圧されることで、圧縮コイルバネ７１の付勢力に抗してガイド突部６８ａ，６８ｂ及びガイド溝６９ａ，６９ｂにガイドされながら図７及び図８中反矢印Ｄ２方向に移動する。
【００４７】
すると、制御バネ７４の係合部７５は、図８及び図９中矢印Ｄ３方向の付勢力に抗してイジェクト部材５５の移動ガイド部６６に一体的に設けられた係止突部７６のカム部７８に沿って頂部７７側から係合凹部７９側に移動する。そして、カム部７８が終了した時点で、制御バネ７４の係合部７５は、図９に示すように、付勢力によって係止突部７６の係合凹部７９に係合する。これにより、イジェクト部材５５は、ＩＣカード７の端子部１４を構成する接点１６と接続端子５７との接続を図る装着位置に保持される。そして、ベース５２に設けられた接続端子５７は、ＩＣカード７の端子部１４係合凹部１５に係合し、接点１６に弾接されることにより、電気的接続が図られる。
【００４８】
ユーザは、本体部２１の凹状の開口部２８より透明なカバー部材２２を介して外部に臨まされているＩＣカード７の背面側を見ることができ、装着部２７に装着されているＩＣカード７の種類を容易に識別することができる。図１０に示すように、指紋照合用のＩＣカード７が装着部２７に装着され、ユーザが指紋登録や指紋照合を行うときには、本体部２１に回動可能に取り付けられているヒンジ機構４６を介してカバー部材２２が回動操作されて、凹状の開口部２８を開放した状態とする。すると、凹状の開口部２８からは、ＩＣカード７の指紋検出部１３が外部に臨まされる。ユーザは、凹状の開口部２８より外部に臨まされているＩＣカード７の指紋検出部１３に指頭を押し付けることができる。また、図１１に示すように、マウス５の装着部２７にメモリ用のＩＣカード７が装着されているときには、ＩＣカード７の背面側のラベルが凹状の開口部２７より外部に臨まされ、透明のカバー部材２２を介して、ＩＣカード７に保存されているデータの確認を行うことができる。このように、マウス５は、本体部２１の凹状の開口部２７を設け、また、カバー部材２２を光透過性の材料により形成することで、様々な機能を有するＩＣカード７を装着することができ、また、どの機能のＩＣカード７が装着されても使い勝手が悪くなることを防止することができる。
【００４９】
ＩＣカード７をイジェクトするとき、ＩＣカード７の背面側の一部を押圧すると、イジェクト部材５５は、圧縮コイルバネ７１の付勢力に抗して図９中反矢印Ｄ２方向に移動する。すると、制御バネ７４の係合部７５は、図９中矢印Ｄ３方向の付勢力により係止突部７６の係合凹部７９と係合した状態が解除され、そして、付勢力により係合突部７６のベース５２側に移動する。制御バネ７４の係合部７５と係止突部７６の係合凹部７９との係合状態が解除されたことで、イジェクト部材５５は、圧縮コイルバネ７１の付勢力により、端子部１４と接続端子５７とを離間させる図９中矢印Ｄ２方向に移動し、ＩＣカード７の挿脱を行う第１の位置に戻る。この後、ＩＣカード７は、装着部２７より引き出される。
【００５０】
次に、ＩＣカード７が装着されるマウス５とこのマウス５が接続される情報処理装置２の回路構成について図１２を参照して説明する。先ず、情報処理装置２について説明すると、この情報処理装置２は、据え置き型又はノート型のパーソナルコンピュータ等の情報処理装置であり、各種プログラムや処理データ等が保存されるハードディスク１０１と、制御プログラム等が保存されたＲＯＭ１０２と、プログラムや処理データがロードされるＲＡＭ１０３と、キーボード、テンキー等で構成され、操作信号等を入力するための入力操作部６と、処理中のデータ等を表示するＣＲＴ、ＬＣＤ等からなる表示部６と、マウス５等他の周辺機器とデータ通信をＵＳＢ規格に従って行うためのＵＳＢインタフェース１０６と、全体の動作を制御するＣＰＵ等からなる制御部１０７とを備える。制御部１０７は、入力操作部６からの入力に基づいて、ハードディスク１０１より所定のアプリケーションをＲＡＭ１０３に読み出して表示部６に表示すると共にデータ処理を行う。制御部１０７は、マウス５がＵＳＢインタフェース１０６に接続され、マウス５の装着部２７に指紋照合用のＩＣカード７が装着されている場合であって、ユーザが特定のコンピュータにアクセスしようとするときやハードディスク１０１に保存されている特定のファイルにアクセスしようとするとき、指紋照合による認証要求を行うため、その旨を表示部６に表示し、ＩＣカード７より指紋照合で認証が取れたことを示す認証データを受信したときに限って、特定のコンピュータへのアクセスやハードディスク１０１に保存されている特定のファイルへのアクセスを許可する。また、制御部１０７は、メモリ用のＩＣカード７がマウス５の装着部２７に装着されているとき、ＩＣカード７に保存されているデータ、データのタイトル一覧等を表示部６に表示し、ユーザが表示部６を見ながら処理を行うことができるようにする。
【００５１】
次に、図１２を参照して、以上のような情報処理装置２にＵＳＢで接続されるマウス５について説明すると、このマウス５は、画面上の操作位置を特定する際にクリックされる第１の操作部２３を構成する第１のスイッチ素子２３ａと、画面上の操作メニュー等を表示する際にクリックされる第２の操作部２４を構成する第２のスイッチ素子２４ａと、画面をスクロールするとき等に用いられる第３の操作部２５を構成するホイール２５ａと、マウス５の移動方向及び移動量を検出する光学センサ３４ａと、第１のスイッチ素子２３ａ第２のスイッチ素子２４ａ、ホイール２５ａから入力される信号に基づいて情報処理装置２に出力する操作信号を生成するマウス制御部１１１と、ＩＣカード７へのアクセス中点灯する識別灯２９とを備える。ここで、マウス制御部１１１は、例えば上述した第１のプリント配線基板３４のマウス用マイクロコンピュータチップ３４ｂ等に設けられている。また、マウス５は、装着部２７に装着されたＩＣカード７とデータのシリアル転送を行うためのシリアルインタフェース１１２と、装着部２７に装着されたＩＣカード７とデータのパラレル転送を行うためのパラレルインタフェース１１３と、装着部２７に装着されたＩＣカード７のインタフェースとＵＳＢのインタフェースの変換をするアダプタ回路１１４と、装着部２７に装着されたＩＣカード７がメモリ用のＩＣカードであるとき、データ処理上の論理アドレスをＩＣカード７内のフラッシュメモリ上の物理アドレスに変換するアドレス変換部１１５と、マウス制御部１１１からの信号とアダプタ回路１１４からの信号を選択的にコンピュータ本体３のＵＳＢインタフェース１０６に出力するハブ１１６とを備える。ここで、アダプタ回路１１４は、上述した第２のプリント配線基板３５のアダプタチップ３５ａ等に設けられ、ハブ１１６は、第１のプリント配線基板３４のハブチップ３４ｃ等に設けられている。
【００５２】
マウス制御部１１１は、第１のスイッチ素子２３ａ、第２のスイッチ素子２４ａ、ホイール２５ａから入力があったとき、コンピュータ本体３に出力する操作信号を生成し、ハブ１１６を介してコンピュータ本体に出力する。また、光学センサ３４ａは、ユーザがマウス５を動かす際、そのわずかな動きによってイメージ入力部が、レンズを通して照射表面の微細イメージを素早く取り込み、マウス制御部１１１に出力する。そして、マウス制御部１１１は、光学センサ３４ａより入力された複数のイメージを比較することにより、動きの距離と方向を決定し、Ｘ軸−Ｙ軸の操作信号に変換し、生成した操作信号をコンピュータ本体３に出力する。情報処理装置２の表示部６に表示されているポインタは、このＸ軸−Ｙ軸の操作信号に応じて移動する。
【００５３】
また、このマウス５は、装着部２７に機能の異なる複数種類のＩＣカード７が装着され、ＩＣカード７のアダプタ装置としても機能する。すなわち、装着部２７に指紋照合用のＩＣカード７が装着されているとき、アダプタ回路１１４は、指紋照合用のＩＣカード７より出力された認証データを、ＩＣカード７のインタフェースからＵＳＢのインタフェースに変換する。また、アダプタ回路１１４は、メモリ用のＩＣカード７が装着されているとき、装着部２７にメモリ用のＩＣカード７より出力されたデータをＩＣカード７のインタフェースからＵＳＢのインタフェースに変換し、また、コンピュータ本体３から入力されたデータを、ＵＳＢのインタフェースからＩＣカード７用のインタフェースに変換し、装着部２７に装着されているメモリ用のＩＣカード７に出力する。このようにメモリ用のＩＣカードに情報処理装置２がアクセスするとき、アドレス変換部１１５は、論理アドレスを物理アドレスに変換する処理を行う。また、アダプタ回路１１４は、装着されているＩＣカード７に情報処理装置２がアクセスしているとき、識別灯２９を点灯し、ユーザが、情報処理装置２がＩＣカード７にアクセス中であることを知らせ、例えば情報処理装置２がＩＣカード７にアクセスしているときにユーザが誤ってＩＣカード７を装着部２７より抜いてしまわないようにする。
【００５４】
ところで、情報処理装置２とマウス５との接続は、ＩＣカード７に対して電力供給が可能なインタフェースが用いられ、ここではＵＳＢが用いられている。ＵＳＢは、ホスト機器である情報処理装置２に接続されたマウス５等の周辺機器に対して電力供給が可能であり、マウス５には、情報処理装置２より例えば直流で５００ｍＡの電流が供給され、これにより、マウス５は、識別灯２９を点灯し、また、光学センサ３４ａを駆動し、更に、装着部２７に装着されたＩＣカード７に電力を供給する。
【００５５】
次に、マウス５に装着されるＩＣカード７の回路構成について説明する。図１３を参照して、指紋照合用のＩＣカード７について説明すると、この指紋照合用のＩＣカード７は、ユーザの指頭が圧接される指紋検出部１２１と、登録された指紋を記憶する第１のメモリ１２２と、指紋検出部１２１より入力された指紋と第１のメモリ１２２に保存されている指紋とを照合する照合部１２３と、ＩＣカード７の種類を示す識別データ、ＩＣカード７のシリアル番号、第１のメモリ１２２に登録されている指紋に関連する関連情報を記憶する第２のメモリ１２４と、マウス５と認証データのやり取りをシリアル転送により行うためのシリアルインタフェース１２５と、マウス５と認証データのやり取りをパラレル転送により行うためのパラレルインタフェース１２６と、全体の動作を制御する制御部１２７とを備える。
【００５６】
指紋検出部１２１は、ＣＣＤ（Ｃｈａｒｇｅ　Ｃｏｕｐｌｅｄ　Ｄｅｖｉｃｅ）、ラインセンサ等の撮像部、指頭が圧接される圧接部を照射するバックライト等を有し、指頭が圧接されたとき、バックライトをオンにし、撮像部で指紋を撮影する。そして、指紋検出部１２１は、撮影した指紋より、指紋の特徴点、例えば皮膚隆線の分岐や中心を抽出する。そして、指紋検出部１２１は、指紋登録を行うとき、指紋の特徴点である指紋データを第１のメモリ１２２に出力する。第１のメモリ１２２には、登録を行う指紋の特徴点である指紋データが識別番号毎に保存される。また、指紋検出部１２１は、指紋データを指紋照合を行うとき照合部１２３に出力する。
【００５７】
照合部１２３は、指紋照合を行うとき、指紋検出部１２１より入力された指紋データと第１のメモリ１２２に記憶されている指紋データとを照合し、ユーザの認証を行う。そして、照合部１２３は、指紋検出部１２１より入力された指紋データと第１のメモリ１２２より読み出した指紋データとが一致し認証が取れたとき、シリアルインタフェース１２５又はパラレルインタフェース１２６に認証データを出力する。また、照合部１２３は、指紋検出部１２１より入力された指紋データと第１のメモリ１２２より読み出した指紋データとが一致せず認証が取れなかったとき、非認証データをシリアルインタフェース１２５又はパラレルインタフェース１２６に出力する。
【００５８】
第２のメモリ１２４には、第１のメモリ１２２に登録されている指紋データに関連する関連情報が保存される。具体的に、第２のメモリ１２４には、関連情報として、指紋登録者の氏名や識別番号やＩＣカードのシリアルナンバ等が保存されている。そして、照合部１２３で認証が取れたとき、第２のメモリ１２４は、認証データと共に認証の取れたユーザのデータをシリアルインタフェース１２５又はパラレルインタフェース１２６に出力する。
【００５９】
また、第２のメモリ１２４には、このＩＣカード７がパラレル転送及びシリアル転送に対応したものであるかシリアル転送のみに対応したものであるかを通信識別する識別データが記憶されている。また、この第２のメモリ１２４には、このＩＣカード７の機能、すなわち指紋照合用であるかメモリ用であるか等を示す機能識別データが記憶されている。そして、第２のメモリ１２４は、これらの識別データを、情報処理装置２がアクセスしたとき、最初に情報処理装置２に出力され、情報処理装置２がＩＣカード７の種類を識別することができるようにしている。
【００６０】
制御部１２７は、ＩＣカード７の全体を制御するものであり、例えば指紋検出部１２１に指頭が圧接されたとき、指紋検出部１２１を駆動し、また、第１のメモリ１２２への登録する指紋データの書き込みや第２のメモリ１２４に登録する指紋データの関連情報の書き込みやこの関連情報の読み出し、更には第２のメモリ１２４に保存されている識別データの読み出しを制御する。また、制御部１０７は、情報処理装置２からの制御データに応じて使用するインタフェースの切り換え、すなわちシリアルインタフェース１２５とパラレルインタフェース１２６の切り換えを行う。
【００６１】
次に、以上のような指紋照合用のＩＣカード７がマウス５に装着されたときの情報処理装置２の処理について図１４を参照して説明する。マウス５がＵＳＢで情報処理装置２に接続されている状態において、情報処理装置２は、マウス５の装着部２７にＩＣカード７が装着されると、ステップＳ１において、挿入検出用接点の電位を検出し、この電位がＶｓｓ用接点と同じになっているかを判断する。そして、情報処理装置２は、挿入検出用接点の電位とＶｓｓ用接点の電位と同じとき、ＩＣカードがマウス５の装着部２７に装着されていると判断し、ステップＳ２に進み、同じでないとき、ＩＣカード７がマウス５の装着部２７に装着されていないとして、ステップＳ１を繰り返す。
【００６２】
ステップＳ２において、情報処理装置２は、接続ケーブル３０を介してマウス５に装着されているＩＣカード７に電源供給を開始し、ステップＳ３において、ＩＣカード７へのアクセスを開始する。このとき、マウス５の識別灯２９は、情報処理装置２よりＵＳＢを介して供給されている電源によって点灯される。これによって、ユーザは、ＩＣカード７へのアクセスが開始されたことを視認することができる。そして、情報処理装置２は、ＩＣカード７の第２のメモリ１２４の所定アドレスにアクセスする。すなわち、情報処理装置２は、ＩＣカード７に対してシリアルプロトコルバスステート信号ＢＳとシリアルクロックＳＣＬＫを供給し、第２のメモリ１２４にアクセスし、シリアル転送とパラレル転送で用いられるデータ線（ＤＡＴＡ０）を用いて識別データの読み出しを行う。
【００６３】
ステップＳ４において、情報処理装置２は、第２のメモリ１２４より読み出した機能識別データに基づいて、マウス５に装着されたＩＣカード７が指紋照合用のＩＣカード７であるかの機能判別を行う。そして、情報処理装置２は、マウス５に装着されたＩＣカード７が指紋判別用であると判断したとき、ステップＳ５に進み、指紋判別用でないと判断したとき、他の機能のＩＣカード７の機能に応じた処理を行う。
【００６４】
ステップＳ５において、情報処理装置２は、第２のメモリ１２４より読み出した通信識別データに基づいて、マウス５に装着されたＩＣカード７がパラレル転送に対応したものであるか、シリアル転送にのみ対応したものであるかの判別を行う。そして、情報処理装置２は、パラレル転送に対応したＩＣカード７であると判断したとき、ステップＳ６に進み、シリアル転送のみに対応したＩＣカード７であると判断したとき、ステップＳ７に進む。
【００６５】
情報処理装置２は、マウス５に装着されたＩＣカード７がパラレル転送に対応したものであると判断したとき、ステップＳ６において、制御部１２７でインタフェースをパラレルインタフェース１２６に切り換え、以降の処理で指紋登録、指紋認証等の処理に伴うデータ転送をパラレル転送を用いて行うようにする。具体的に、パラレルデータ転送は、パラレルインタフェースの第１のデータ線（ＤＡＴＡ１）、第２のデータ線（ＤＡＴＡ２）及び第３のデータ線（ＤＡＴＡ３）を用いて行われる。
【００６６】
また、情報処理装置２は、マウス５に装着されたＩＣカード７がシリアル転送のみに対応したものであると判断したとき、ステップＳ７において、制御部１２７でインタフェースをシリアルインタフェース１２５に切り換え、以降の処理で指紋登録、指紋認証等の処理に伴うデータ転送をシリアル転送を用いて行うようにする。具体的に、シリアルデータ転送は、データ線（ＤＡＴＡ０）を用いて行われる。
【００６７】
次に、指紋照合用のＩＣカード７が指紋登録を行うときの処理及び指紋照合処理を行うときの処理について図１５を参照して説明する。
【００６８】
先ず、ＩＣカード７は、ステップＳ１１において、制御部１２７で、ユーザが入力操作部６を操作することによって情報処理装置２から指紋登録コマンドが入力されたかどうかを判断し、指紋登録コマンドが入力されたとき、指紋登録処理を行うためステップＳ１２に進み、指紋登録コマンドが入力されなかったとき、指紋照合を行うため、ステップＳ１４に進む。
【００６９】
指紋登録モードのとき、ＩＣカード７は、ステップＳ１２において、ユーザの指紋が入力される。具体的に、ユーザが指紋照合用のＩＣカード７が装着されているマウス５の本体部２１に取り付けられているカバー部材２２を背面側に回動して、本体部２１の上ハーフ３１に設けられた凹状の開口部２８より指頭を内部に進入させ、指紋検出部１２１に指頭を圧接すると、指紋検出部１２１は、これを検出し、撮像部で指紋を撮影し、撮影した指紋より、指紋の特徴点、例えば皮膚隆線の分岐や中心を抽出し、指紋データを生成する。
【００７０】
ステップＳ１３において、ＩＣカード７は、制御部１２７が、この指紋データに識別番号を付与し指紋検出部１２１より指紋データを第１のメモリ１２２に出力する。これにより、第１のメモリ１２２には、ユーザの指紋データが保存、すなわち登録される。
【００７１】
なお、このとき、ＩＣカード７は、登録する指紋データに関連する情報を、第２のメモリ１２４に指紋データの識別番号に関連付けて保存する。すなわち、情報処理装置２において、ユーザが入力操作部６を操作することによって、指紋登録者の氏名や識別番号を入力すると、指紋照合用のＩＣカード７には、この入力データがシリアルインタフェース１１２，１２５又はパラレルインタフェース１１３，１２６を介して入力される。そして、指紋照合用のＩＣカード７は、登録する指紋データに関連付けて、登録する指紋データに関連する情報を、ＩＣカード７の第２のメモリ１２４に記録する。
【００７２】
次に、指紋照合の方法について説明すると、ステップＳ１１でＩＣカード７に指紋登録コマンドが入力されなかったとき、ＩＣカード７は、ステップＳ１４において、情報処理装置２を使用しようとするユーザの指紋が入力される。具体的に、ユーザが指紋照合用のＩＣカード７が装着されているマウス５の本体部２１に取り付けられているカバー部材２２を回動し、凹状の開口部２８を開放し、この凹状の開口部２８より指頭を内部に進入させ、指紋検出部１２１に指頭を圧接すると、指紋検出部１２１は、これを検出し、撮像部で指紋を撮影し、撮影した指紋より、指紋データを生成し、照合部１２３に出力する。
【００７３】
ステップＳ１５において、ＩＣカード７の照合部１２３は、第１のメモリ１２２より登録された指紋データを読み出し、この第１のメモリ１２２から読み出した指紋データと指紋検出部１２１より入力された指紋データとを照合する。そして、ＩＣカード７は、照合部１２３が指紋検出部１２１より入力された指紋データと第１のメモリ１２２より読み出した指紋データとが一致したとき、ステップＳ１６に進み、一致しなかったとき、ステップＳ１７に進む。
【００７４】
指紋検出部１２１からの指紋データが第１のメモリ１２２の指紋データと一致したとき、ＩＣカード７は、ステップＳ１６において、情報処理装置２にアクセスしようとするユーザの認証を取ることができたとして、シリアルインタフェース１１２，１２５又はパラレルインタフェース１１３，１２６を介して認証データを情報処理装置２に出力する。認証データを受信した情報処理装置２は、認証が取れたユーザによって使用可能な状態になる。
【００７５】
また、指紋検出部１２１からの指紋データが第１のメモリ１２２の指紋データと一致しなかったとき、ＩＣカード７は、ステップＳ１７において、情報処理装置２にアクセスしようとするユーザの認証を取ることができなかったとして、シリアルインタフェース１１２，１２５又はパラレルインタフェース１１３，１２６を介して非認証データを情報処理装置２に出力する。非認証データを受信した情報処理装置２は、認証が取れなかったユーザによる使用を禁止する。
【００７６】
なお、以上の例では、情報処理装置２へのユーザのアクセス制限に指紋照合を用いる場合を説明したが、この指紋照合は、この他に、ハードディスク１０１や情報処理装置２に装着される光ディスク等の外部記憶装置に保存されている特定のファイルへのアクセス制限等に用いるようにしてもよい。
【００７７】
次に、マウス５に装着されるメモリ用のＩＣカード７について図１６を参照して説明すると、このメモリ用のＩＣカード７は、データを保存する一又は複数のフラッシュメモリ１３１と、フラッシュメモリ１３１への書き込み及び読み出しを制御するメモリ制御部１３２と、フラッシュメモリ１３１に保存するデータに対してエラー訂正符号を付加しフラッシュメモリ１３１より読み出すデータのエラー訂正符号を復号するエラー訂正処理部１３３と、データの書き込み又は読み出しのための各種パラメータを保存するメモリ１３４と、フラッシュメモリ１３１に保存するデータを一時的に記憶するバッファメモリ１３５と、データ処理上の論理アドレスとメモリ上の物理アドレスとを変換するアドレス変換部１３６と、マウス５とデータのやり取りをシリアル転送により行うためのシリアルインタフェース１３７と、マウス５とデータのやり取りをパラレル転送により行うためのパラレルインタフェース１３８と、全体の動作を制御する制御部１３９とを備える。
【００７８】
メモリ１３４には、このＩＣカード７がパラレル転送及びシリアル転送に対応したものであるかシリアル転送のみに対応したものであるかを通信識別する識別データが記憶されている。また、このメモリ１３４には、このＩＣカード７の機能、すなわち指紋照合用であるかメモリ用であるか等を示す機能識別データが記憶されている。そして、メモリ１３４は、これらの識別データを、情報処理装置２がアクセスしたとき、最初に情報処理装置２に出力され、情報処理装置２がＩＣカード７の種類を識別することができるようにしている。更に、メモリ１３４には、このＩＣカード７がアドレス変換部１３６を有しているかどうかのアドレス変換識別データが記憶されている。
【００７９】
制御部１２７は、情報処理装置２からの制御データに応じて使用するインタフェースの切り換え、すなわちシリアルインタフェース１３７とパラレルインタフェース１３８の切り換えを行う。
【００８０】
以上のようなメモリ用のＩＣカード７は、論理アドレスが情報処理装置２より入力されたとき、アドレス変換部１３６で論理アドレスを物理アドレスに変換し、また、物理アドレスを論理アドレスに変換してフラッシュメモリ１３１にアクセスし、所定アドレスにデータを書き込みみ、また、所定アドレスに保存されているデータの読み出しを行う。
【００８１】
次に、メモリ用のＩＣカード７のデータの読み出しや書き込みを行うときの処理について図１７を参照して説明する。マウス５がＵＳＢで情報処理装置２に接続されている状態において、情報処理装置２は、マウス５の装着部２７にＩＣカード７が装着されると、ステップＳ２１において、挿入検出用接点の電位を検出し、この電位がＶｓｓ用接点と同じになっているかを判断する。そして、情報処理装置２は、挿入検出用接点の電位とＶｓｓ用接点の電位と同じとき、ＩＣカードがマウス５の装着部２７に装着されていると判断し、ステップＳ２２に進み、同じでないとき、ＩＣカード７がマウス５の装着部２７に装着されていないとして、ステップＳ２１を繰り返す。
【００８２】
ステップＳ２２において、情報処理装置２は、接続ケーブル３０を介してマウス５に装着されているＩＣカード７に電源供給を開始し、ステップＳ２３において、ＩＣカード７へのアクセスを開始する。このとき、マウス５の識別灯２９は、情報処理装置２よりＵＳＢを介して供給されている電源によって点灯される。これによって、ユーザは、ＩＣカード７へのアクセスが開始されたことを視認することができる。そして、情報処理装置２は、ＩＣカード７のメモリ１３４の所定アドレスにアクセスする。すなわち、情報処理装置２は、ＩＣカード７に対してシリアルプロトコルバスステート信号ＢＳとシリアルクロックＳＣＬＫが供給し、メモリ１３４にアクセスし、シリアル転送及びパラレル転送のデータ線（ＤＡＴＡ０）を用いて識別データの読み出しを行う。
【００８３】
ステップＳ２４において、情報処理装置２は、メモリ１３４より読み出したアドレス変換識別データに基づいて、マウス５に装着されているメモリ用のＩＣカード７にアドレス変換部１３６が備えられているかを判断する。そして、情報処理装置２は、マウス５に装着されているＩＣカード７がアドレス変換機能を有しているとき、フラッシュメモリ１３１へのアクセスを論理アドレスで行うようにする。また、情報処理装置２は、マウス５に装着されているＩＣカード７アドレス変換機能が設けられていないとき、マウス５に設けられているアドレス変換部１１４で論理アドレスを物理アドレスに変換し、物理アドレスでアドレス変換機能を有さないＩＣカード７のフラッシュメモリ１３１にアクセスするようにする。
【００８４】
ステップＳ２５において、情報処理装置２は、メモリ１３４より読み出した機能識別データに基づいて、マウス５に装着されたＩＣカード７がメモリ用のＩＣカード７であるかの機能判別を行う。そして、情報処理装置２は、マウス５に装着されたＩＣカード７がメモリ用であると判断したとき、ステップＳ２６に進み、指紋判別用でないと判断したとき、他の機能のＩＣカード７の機能に応じた処理を行う。
【００８５】
ステップＳ２６において、情報処理装置２は、メモリ１３４より読み出した通信識別データに基づいて、マウス５に装着されたＩＣカード７がパラレル転送に対応したものであるか、シリアル転送にのみ対応したものであるかの判別を行う。そして、情報処理装置２は、パラレル転送に対応したＩＣカード７であると判断したとき、ステップＳ２７に進み、シリアル転送のみに対応したＩＣカード７であると判断したとき、ステップＳ２８に進む。
【００８６】
情報処理装置２は、マウス５に装着されたＩＣカード７がパラレル転送に対応したものであると判断したとき、ステップＳ２７において、制御部１３９でインタフェースをパラレルインタフェース１３８に切り換え、フラッシュメモリ１３１とのデータのやり取りをパラレル転送で行うようにする。そして、パラレルデータ転送は、パラレルインタフェースの第１のデータ線（ＤＡＴＡ１）、第２のデータ線（ＤＡＴＡ２）及び第３のデータ線（ＤＡＴＡ３）を用いて行われる。
【００８７】
また、情報処理装置２は、マウス５に装着されたＩＣカード７がシリアル転送のみに対応したものであると判断したとき、ステップＳ２８において、制御部１３９でインタフェースをシリアルインタフェース１３７に切り換え、フラッシュメモリ１３１とのデータのやり取りをパラレル転送で行うようにする。そして、シリアルデータ転送は、データ線（ＤＡＴＡ０）を用いて行われる。
【００８８】
ステップＳ２７及びステップＳ２８で行うフラッシュメモリ１３１へのアクセスは、物理アドレスで行う必要があり、そこで、フラッシュメモリ１３１へのアクセスは、ＩＣカード７がアドレス変換機能を有しているとき、ＩＣカード７のアドレス変換部１３６が論理アドレスを物理アドレスに変換することにより行われ、ＩＣカード７がアドレス変換機能を有していないとき、マウス５のアドレス変換部１１４が論理アドレスを物理アドレスに変換することにより行われる。そして、メモリ用のＩＣカード７は、フラッシュメモリ１３１に情報処理装置２からシリアル又はパラレル転送されたデータをフラッシュメモリ１３１に保存し、また、フラッシュメモリ１３１に保存されているデータを情報処理装置２に転送する。
【００８９】
以上のようなマウス５は、シリアル転送とパラレル転送の２つの通信方式でデータの送受信を行うことができ、既存のＩＣカード７とシリアル転送でデータの送受信を行うことができると共に、パラレル転送に対応したＩＣカード７との間では高速にデータの送受信を行うことができる。また、メモリ用のＩＣカード７が装着されているとき、マウス５は、アドレス変換部１１４が設けられていることから、情報処理装置２は、論理アドレスでメモリ用のＩＣカード７にアクセスすることができ、アドレス設定処理を迅速に行うことができるようになる。
【００９０】
【発明の効果】
本発明によれば、ＩＣカードが装着される装置本体に、カバー部材が装置本体の一主面を開放可能に取り付けられていることから、装着部に装着されるＩＣカードの種類に応じてカバー部材を操作して装置本体の主面部を開放したり被覆したりすることができ、装着部に装着したＩＣカードの種類に応じた操作を容易に行うことができる。
【図面の簡単な説明】
【図１】本発明を適用したマウスが用いられる情報処理システムの構成を説明する図である。
【図２】本発明を適用したマウスの斜視図である。
【図３】上記マウスの斜視図であって、装置本体に取り付けられたカバー部材が回動された状態を示す。
【図４】上記アダプタ装置の分解斜視図である。
【図５】上記マウスに内蔵されたコネクタ部材を説明する斜視図であって、ＩＣカードの挿入前の状態を示す。
【図６】上記コネクタの斜視図であって、ＩＣカードが挿入された状態を示す。
【図７】上記コネクタに内蔵されたイジェクト部材の構成を説明する斜視図である。
【図８】ＩＣカードの挿入前のイジェクト部材の状態を示す側面図である。
【図９】ＩＣカードが挿入されたときのイジェクト部材の状態を示す側面図である。
【図１０】上記マウスに指紋検出用のＩＣカードが装着され、ユーザが指紋登録又は指紋照合を行っている状態を示すマウスの斜視図である。
【図１１】上記マウスにメモリ用のＩＣカードが装着された状態を示すマウスの斜視図である。
【図１２】情報処理装置とこの情報処理装置に接続されたアダプタ装置のブロック図である。
【図１３】指紋照合用のＩＣカードのブロック図である。
【図１４】指紋照合用のＩＣカードが装着されたときの情報処理装置の処理を説明するフローチャートである。
【図１５】指紋照合用のＩＣカードが指紋登録を行うときの処理及び指紋照合処理を行うときの動作を説明するフローチャートである。
【図１６】メモリ用ＩＣカードのブロック図である。
【図１７】メモリ用のＩＣカードのデータの読み出しや書き込みを行うときの処理を説明するフローチャートである。
【符号の説明】
１　情報処理システム、２　情報処理装置、３　コンピュータ本体５　マウス、７　ＩＣカード、２１　本体部、２２　カバー部材、２３　第１の操作部、２３ａ　第１のスイッチ素子、２４　第２の操作部、２３ａ　第２のスイッチ素子、２５　第３の操作部、２５ａ　ホイール、２６　挿入口、２７　装着部、２８　凹状の開口部、２９　識別灯４１　溝部、４６　ヒンジ機構
【図１】
2004070831.tif 000003
【図２】
2004070831.tif 000004
【図３】
2004070831.tif 000005
【図４】
2004070831.tif 000006
【図５】
2004070831.tif 000007
【図６】
2004070831.tif 000008
【図７】
2004070831.tif 000009
【図８】
2004070831.tif 000010
【図９】
2004070831.tif 000011
【図１０】
2004070831.tif 000012
【図１１】
2004070831.tif 000013
【図１２】
2004070831.tif 000014
【図１３】
2004070831.tif 000015
【図１４】
2004070831.tif 000016
【図１５】
2004070831.tif 000017
【図１６】
2004070831.tif 000018
【図１７】
2004070831.tif 000019